(57)【要約】【課題】スライドレールアセンブリを提供する。【解決手段】スライドレールアセンブリ２０は少なくとも二つのレール３０、３２、スライドアシスト装置８１、及びサポーティング構造７９を備える。少なくとも二つのレール３０、３２はスライドアシスト装置８１により相対してスムーズに移動する。サポーティング構造７９は少なくとも二つのレール３０、３２のうち一つを支える。【選択図】  図２
2018042993.tif 000002
【特許請求の範囲】
【請求項１】
第一レール、第二レール、第三レール、スライドアシスト装置、及びサポーティング構造を備え、
前記第一レールは、前端と後端を有し、
前記第二レールは、前記第一レールに相対して移動し、前記第二レールは、前端、後端、及び前記前端と前記後端の間に位置するパーティションを有し、
前記第三レールは、前記第二レールに相対して移動し、前記第三レールは、前端及び後端を有し、
前記スライドアシスト装置は、前記第二レールのパーティションと前記第二レールの前端との間に移動可能に取り付けられ、
前記サポーティング構造は、前記第二レールのパーティションと前記第二レールの後端との間に移動可能に取り付けられるため、前記第三レールが前記第二レールに相対して収納されると、前記サポーティング構造は、前記第三レールを支えることを特徴とするスライドレールアセンブリ。
【請求項２】
前記第三レールは、上壁、下壁、及び前記上壁と前記下壁との間に連接される縦方向壁を有し、
前記サポーティング構造は、上部及び下部を有し、前記上部と前記下部は少なくとも一つの転動部材を配置されるため、前記第三レールの上壁と前記第三レールの下壁とを支えることを特徴とする請求項１に記載のスライドレールアセンブリ。
【請求項３】
前記第三レールは、上壁、下壁、及び前記上壁と前記下壁との間に連接される縦方向壁を有し、
前記サポーティング構造は、上部及び下部を有し、前記上部及び前記下部は、それぞれ前記第三レールの上壁と前記第三レールの下壁とを支えることを特徴とする請求項１に記載のスライドレールアセンブリ。
【請求項４】
第一嵌着メカニズムをさらに備え、
前記第二レールが前記第一レールに相対して、第一位置から第一方向に向かい、第二位置へと移動し、前記第三レールが前記第二レールに相対して、第一方向から第三位置に向かい、前記第二レールを超過すると、前記第一レールの後端と前記第三レールの前端との間に、第一長さが形成され、
前記第二レールが前記第二位置から第二方向に向かい、第四位置へと移動すると、前記第一長さは、第二長さへと短縮され、前記第一嵌着メカニズムにより、前記第二レールは前記第一レールに相対して前記第四位置に位置し、
前記第一レールに配置される第一ブロック部材をさらに有し、
前記第二レールが、前記第四位置にあるとき、前記第二レールは、前記第一嵌着メカニズムにより前記第一ブロック部材に接触し、
前記第一嵌着メカニズムは、第一嵌着部材、及び前記第一嵌着部材に弾力を作用する弾性部材を備え、前記第二レールが、前記第四位置にあるとき、前記第一嵌着部材は、前記弾性部材の弾力により、前記第一ブロック部材に接触することを特徴とする請求項１に記載のスライドレールアセンブリ。
【請求項５】
第一作動部材及び係止台をさらに備え、
前記第一作動部材は、前記第三レールに取り付けられ、第一作動位置と第二作動位置との間で操作され、前記係止台は、前記第二レールに配置され、係止部を備え、
前記第三レールが前記第一方向に向かい所定位置まで移動すると、前記第一作動部材により前記第一作動位置において、前記係止台の係止部の一方側に接触し、
前記第一作動部材が操作され、前記第一作動位置から前記第二作動位置へと移動すると、前記第一作動部材は、前記係止台の係止部への接触を解消されるため、前記第三レールは前記第二レールに相対して取り外され、
前記第三レールに弾性を有するよう取り付けられる第二作動部材を備え、
前記第三レールが前記第一方向に向かい移動する過程において、前記第二作動部材は、前記係止台の係止部に沿って移動し、前記第二作動部材が前記係止台の係止部を越えると、前記第二作動部材により、前記係止台の係止部の他方側に接触することを特徴とする請求項４に記載のスライドレールアセンブリ。
【請求項６】
前記第三レールに取り付けられるスイッチ部材をさらに備え、前記スイッチ部材は、第一スイッチ位置或いは第二スイッチ位置で操作され、
前記スイッチ部材が前記第一スイッチ位置にあるとき、前記スイッチ部材と前記係止台の係止部とは離れ、
前記スイッチ部材が前記第二スイッチ位置にあるとき、前記スイッチ部材と前記係止台の係止部とは離れず、
前記第三レールは、前ブロックを備え、前記前ブロックと前記スイッチ部材とは、相互に距離を隔てることを特徴とする請求項５に記載のスライドレールアセンブリ。
【請求項７】
第二ブロック部材及び第二嵌着メカニズムをさらに備え、
前記第二ブロック部材は、前記第一レールに配置され、嵌着解除部を備え、
前記第二嵌着メカニズムは、前記第二レールに移動可能に取り付けられ、
前記第三レールは、後ブロックを備え、前記第三レールは、前記後ブロックにより前記第二嵌着メカニズムを押し、前記第二レールを同期して連動し、前記第一位置より前記第一方向に向かい移動し、予定位置まで移動すると、前記第二ブロック部材の嵌着解除部により、前記第二嵌着メカニズムは、前記後ブロックから離脱され、
前記第二嵌着メカニズムは、第二嵌着部材、及び前記第二嵌着部材に弾力を作用する第二弾性部材を備え、前記第三レールは、前記後ブロックにより、前記第二嵌着部材を押すことを特徴とする請求項４に記載のスライドレールアセンブリ。
【請求項８】
前記第二レールに移動可能に取り付けられる第三嵌着メカニズムをさらに備え、
前記第二ブロック部材は、位置制限部をさらに備え、
前記第二レールが前記第二位置へと移動すると、前記第三嵌着メカニズムは、前記第二ブロック部材に隣り合う位置制限部に位置し、
前記第一嵌着メカニズムと、前記第二嵌着メカニズムと、及び前記第三嵌着メカニズムとは、前記第二レールのパーティションと前記第二レールの後端の間に位置し、
前記第三嵌着メカニズムは、第三嵌着部材、及び前記第三嵌着部材に弾力を作用する第三弾性部材を備え、
前記第二レールが前記第二位置へと移動すると、前記第三嵌着部材は、前記第三弾性部材の弾力に反応し、前記第二ブロック部材に隣り合う位置制限部に位置することを特徴とする請求項７に記載のスライドレールアセンブリ。
【請求項９】
レール、もう一つのレール、スライドアシスト装置、及びサポーティング構造を備え、
前記レールは、前端、後端、及び前記前端と前記後端との間に位置するパーティションを有し、
前記もう一つのレールは、前記レールに相対して移動し、
前記スライドアシスト装置は、前記レールのパーティションと前記レールの前端の間に取り付けられ、前記もう一つのレールを支え、
前記サポーティング構造は、前記レールのパーティションと前記レールの後端に位置することを特徴とするスライドレールアセンブリ。
【請求項１０】
ラックへの搭載物の取り付けに用いられるスライドレールアセンブリであって、
第一レール、第二レール、第三レール、スライドアシスト装置、サポーティング構造、第一ブロック部材、第一嵌着メカニズム、及び第一作動部材を備え、
前記第一レールは、前記ラックに取り付けられ、前記第一レールは、前端と後端を有し、
前記第二レールは、前記第一レールに相対して移動し、前記第二レールは、前端、後端、及び前記前端と前記後端の間に位置するパーティションを有し、
前記第三レールは、前記第二レールに相対して移動し、前記第三レールにより前記搭載物を搭載され、前記第三レールは、前端と後端を有し、
前記スライドアシスト装置は、前記第二レールのパーティションと前記第二レールの前端との間に移動可能に取り付けられ、前記スライドアシスト装置は、前記第三レールが前記第二レールに相対して移動するときに前記第三レールを支え、
前記サポーティング構造は、前記第二レールのパーティションと前記第二レールの後端との間に位置するため、前記第三レールが前記第二レールに相対して収納されると、前記サポーティング構造は、前記第三レールを支え、
前記第一ブロック部材は、前記第一レールに配置され、
前記第一嵌着メカニズムは、前記第二レールに移動可能に取り付けられ、
前記第一作動部材は、前記第三レールに取り付けられ、前記第一作動部材は、第一作動位置と第二作動位置との間に操作され、
前記第二レールが前記第一レールに相対して、第一位置から第一方向に向かい、第二位置へと移動し、前記第三レールが前記第二レールに相対して、前記第一方向から第三位置に向かい、前記第二レールを超過すると、前記第一レールの後端と前記第三レールの前端との間に、第一長さが形成され、
前記第二レールが前記第二位置から第二方向に向かい、第四位置へと移動すると、前記第一長さは、第二長さへと短縮され、前記第一嵌着メカニズムにより前記第一ブロック部材に接触し、前記第二レールは前記第一レールに相対して前記第四位置に位置し、
前記第一作動部材が操作され、前記第一作動位置から前記第二作動位置へと移動すると、前記第三レールは、前記第二レールに相対して取り外されることを特徴とするスライドレールアセンブリ。
【発明の詳細な説明】
【技術分野】
【０００１】
本発明は、スライドレールアセンブリに関し、特にレール部材とレール部材の間に複数のサポーティングメカニズムを備えるものに関する。
【背景技術】
【０００２】
一般に、スライドレールアセンブリは少なくとも２個以上のレール部材を備える。
これらレール部材は、相互に相対して移動可能である。これにより、スライドレールアセンブリは、延伸或いは収納の状態を備える。
中でも、これらレール部材の間には、１個のサポーティングメカニズム、例えば１個のスライドアシスト装置が設けられ、少なくとも２つのスライドレールのうちの他方のスライドレールを支持する。しかも、スライドアシスト装置のボール（或いはローラー）は、少なくとも２つ以上のレール部材の相対移動に役立つ。
しかしながら、レール部材の間に１個のサポーティングメカニズムだけではサポートニーズに合わない。したがって、別のスライド製品を開発することは産業にとって無視できない重要な課題の一つとなっている。
【先行技術文献】
【特許文献】
【０００３】
【特許文献１】米国特許第６，６５５，７６３Ｂ２
【特許文献２】米国特許第６，８５４，８１６Ｂ２
【特許文献３】米国特許第６，９９７，５２９Ｂ１
【特許文献４】米国特許第８，９２５，８８３Ｂ２
【特許文献５】米国特許第９，３２８，７６９Ｂ１
【発明の概要】
【発明が解決しようとする課題】
【０００４】
レール部材の間に１個のサポーティングメカニズムだけではサポートニーズに合わない。
【課題を解決するための手段】
【０００５】
本発明は、レール部材の間に複数のサポーティングメカニズムを備えることに関する。
【０００６】
本発明の観点の一つによるスライドレールアセンブリは、第一レール、第二レール、第三レール、スライドアシスト装置、及びサポーティング構造を備え、第一レールは、前端と後端を有し、第二レールは、第一レールに相対して移動し、第二レールは、前端、後端、及び前端と後端の間に位置するパーティションを有し、第三レールは、第二レールに相対して移動し、第三レールは、前端及び後端を有し、スライドアシスト装置は、第二レールのパーティションと第二レールの前端との間に移動可能に取り付けられ、サポーティング構造は、第二レールのパーティションと第二レールの後端との間に移動可能に取り付けられるため、第三レールが第二レールに相対して収納されると、サポーティング構造は、第三レールを支えることを特徴とする。
【０００７】
好ましくは、第三レールは、上壁、下壁、及び上壁と下壁との間に連接される縦方向壁を有し、サポーティング構造は、上部及び下部を有し、上部と下部は少なくとも一つの転動部材を配置されるため、第三レールの上壁と第三レールの下壁とを支えることを特徴とする。
【０００８】
好ましくは、第三レールは、上壁、下壁、及び上壁と下壁との間に連接される縦方向壁を有し、サポーティング構造は、上部及び下部を有し、上部及び下部は、それぞれ第三レールの上壁と第三レールの下壁とを支えることを特徴とする。
【０００９】
好ましくは、第一嵌着メカニズムをさらに備え、第二レールが第一レールに相対して、第一位置から第一方向に向かい、第二位置へと移動し、第三レールが第二レールに相対して、第一方向から第三位置に向かい、第二レールを超過すると、第一レールの後端と第三レールの前端との間に、第一長さが形成され、第二レールが第二位置から第二方向に向かい、第四位置へと移動すると、第一長さは、第二長さへと短縮され、第一嵌着メカニズムにより、第二レールは第一レールに相対して第四位置に位置し、第一レールに配置される第一ブロック部材をさらに有し、第二レールが、第四位置にあるとき、第二レールは、第一嵌着メカニズムにより第一ブロック部材に接触し、第一嵌着メカニズムは、第一嵌着部材、及び第一嵌着部材に弾力を作用する弾性部材を備え、第二レールが、第四位置にあるとき、第一嵌着部材は、弾性部材の弾力により、第一ブロック部材に接触することを特徴とする。
【００１０】
好ましくは、第一作動部材及び係止台をさらに備え、第一作動部材は、第三レールに取り付けられ、第一作動位置と第二作動位置との間で操作され、係止台は、第二レールに配置され、係止部を備え、第三レールが第一方向に向かい所定位置まで移動すると、第一作動部材により第一作動位置において、係止台の係止部の一方側に接触し、第一作動部材が操作され、第一作動位置から第二作動位置へと移動すると、第一作動部材は、係止台の係止部への接触を解消されるため、第三レールは第二レールに相対して取り外され、第三レールに弾性を有するよう取り付けられる第二作動部材を備え、第三レールが第一方向に向かい移動する過程において、第二作動部材は、係止台の係止部に沿って移動し、第二作動部材が係止台の係止部を越えると、第二作動部材により、係止台の係止部の他方側に接触することを特徴とする。
【００１１】
好ましくは、第三レールに取り付けられるスイッチ部材をさらに備え、スイッチ部材は、第一スイッチ位置或いは第二スイッチ位置で操作さスイッチ部材が第一スイッチ位置にあるとき、スイッチ部材と係止台の係止部とは離れ、スイッチ部材が第二スイッチ位置にあるとき、スイッチ部材と係止台の係止部とは離れず、第三レールは、前ブロックを備え、前ブロックとスイッチ部材とは、相互に距離を隔てることを特徴とする。
【００１２】
好ましくは、第二ブロック部材及び第二嵌着メカニズムをさらに備え、第二ブロック部材は、第一レールに配置され、嵌着解除部を備え、第二嵌着メカニズムは、第二レールに移動可能に取り付けられ、第三レールは、後ブロックを備え、第三レールは、後ブロックにより第二嵌着メカニズムを押し、第二レールを同期して連動し、第一位置より第一方向に向かい移動し、予定位置まで移動すると、第二ブロック部材の嵌着解除部により、第二嵌着メカニズムは、後ブロックから離脱され、第二嵌着メカニズムは、第二嵌着部材、及び第二嵌着部材に弾力を作用する第二弾性部材を備え、第三レールは、後ブロックにより、第二嵌着部材を押すことを特徴とする。
【００１３】
好ましくは、第二レールに移動可能に取り付けられる第三嵌着メカニズムをさらに備え、第二ブロック部材は、位置制限部をさらに備え、第二レールが第二位置へと移動すると、第三嵌着メカニズムは、第二ブロック部材に隣り合う位置制限部に位置し、第一嵌着メカニズムと、第二嵌着メカニズムと、及び第三嵌着メカニズムとは、第二レールのパーティションと第二レールの後端の間に位置し、第三嵌着メカニズムは、第三嵌着部材、及び第三嵌着部材に弾力を作用する第三弾性部材を備え、第二レールが第二位置へと移動すると、第三嵌着部材は、第三弾性部材の弾力に反応し、第二ブロック部材に隣り合う位置制限部に位置することを特徴とする。
【００１４】
本発明の別な観点によるスライドレールアセンブリは、レール、もう一つのレール、スライドアシスト装置、及びサポーティング構造を備え、レールは、前端、後端、及び前端と後端との間に位置するパーティションを有し、もう一つのレールは、レールに相対して移動し、スライドアシスト装置は、レールのパーティションとレールの前端の間に取り付けられ、もう一つのレールを支え、サポーティング構造は、レールのパーティションとレールの後端に位置することを特徴とする。
【００１５】
本発明の別な観点によるスライドレールアセンブリは、ラックへの搭載物の取り付けに用いられるスライドレールアセンブリであって、第一レール、第二レール、第三レール、スライドアシスト装置、サポーティング構造、第一ブロック部材、第一嵌着メカニズム、及び第一作動部材を備え、第一レールは、ラックに取り付けられ、第一レールは、前端と後端を有し、第二レールは、第一レールに相対して移動し、第二レールは、前端、後端、及び前端と後端の間に位置するパーティションを有し、第三レールは、第二レールに相対して移動し、第三レールにより搭載物を搭載され、第三レールは、前端と後端を有し、スライドアシスト装置は、第二レールのパーティションと第二レールの前端との間に移動可能に取り付けられ、スライドアシスト装置は、第三レールが第二レールに相対して移動するときに第三レールを支え、サポーティング構造は、第二レールのパーティションと第二レールの後端との間に位置するため、第三レールが第二レールに相対して収納されると、サポーティング構造は、第三レールを支え、第一ブロック部材は、第一レールに配置され、第一嵌着メカニズムは、第二レールに移動可能に取り付けられ、第一作動部材は、第三レールに取り付けられ、第一作動部材は、第一作動位置と第二作動位置との間に操作され、第二レールが第一レールに相対して、第一位置から第一方向に向かい、第二位置へと移動し、第三レールが第二レールに相対して、第一方向から第三位置に向かい、第二レールを超過すると、第一レールの後端と第三レールの前端との間に、第一長さが形成され、第二レールが第二位置から第二方向に向かい、第四位置へと移動すると、第一長さは、第二長さへと短縮され、第一嵌着メカニズムにより第一ブロック部材に接触し、第二レールは第一レールに相対して第四位置に位置し、第一作動部材が操作され、第一作動位置から第二作動位置へと移動すると、第三レールは、第二レールに相対して取り外されることを特徴とする。
【図面の簡単な説明】
【００１６】
【図１】本発明一実施形態の一対のスライドレールアセンブリが搭載物をラックに取り付ける様子を示す斜視図である。
【図２】本発明一実施形態のスライドレールアセンブリの分解斜視図である。
【図３】図２のＡ区域の示す拡大図であり、スライドレールアセンブリの第二レールの係止台が係止部を備える様子を示す。
【図４】本発明一実施形態のスライドレールアセンブリの第三レールと第一作動部材、第二作動部材、スイッチ部材及び補助弾性部材の分解斜視図である。
【図５】本発明一実施形態の第三レールの模式図である。
【図６】本発明一実施形態のスライドレールアセンブリが収納状態を呈する模式図であり、第一嵌着メカニズム、第二嵌着メカニズム及び第三嵌着メカニズムが所定状態にある様子を示す。
【図７】本発明一実施形態の第三レールの前ブロックが係止台に接触する様子を示す拡大図である。
【図８】本発明一実施形態のスライドレールアセンブリの第三レールが後ブロックにより第二嵌着メカニズムの第二嵌着部材を押し、これにより第二レールが第三レールに従い、第一方向へと移動する様子を示す模式図である。
【図９】本発明一実施形態の第三レールが第二レールに相対して第一方向に向かって移動する模式図であり、第二嵌着メカニズムの第二嵌着部材が第二ブロック部材の嵌着解除部により案内されて一角度の偏りを呈し、第三嵌着メカニズムの第三嵌着部材が第二ブロック部材に隣り合う位置制限部に位置する様子を示す。
【図１０】本発明一実施形態の第一作動部材と第二作動部材が係止台の係止部の両側に接触する様子を示す拡大斜視図である。
【図１１】本発明一実施形態の第二作動部材が操作され、係止台の係止部に接触しない様子を示す模式図である。
【図１２】発明一実施形態の第二作動部材が係止台の係止部に接触しない様子を示す拡大斜視図である。
【図１３】本発明一実施形態のスライドレールアセンブリの第三レールが第二レールに相対して延伸位置にある時、スイッチ部材が第一スイッチ位置に位置する様子を示す模式図である。
【図１４】本発明一実施形態のスライドレールアセンブリの第三レールが第二レールに相対して延伸位置にある時、スイッチ部材が第二スイッチ位置にある様子を示す模式図である。
【図１５】発明一実施形態の第三レールが第二方向へと移動する時、スイッチ部材により第二レールを収納位置まで連動する様子を示す模式図である。
【図１６】発明一実施形態のスイッチ部材が第二レールの係止台の係止部に接触する様子を示す拡大斜視図である。
【図１７】発明一実施形態の第二レールが第一レールに対して相対移動した位置にあり、第三レールが第二レールに相対して、第一作動部材が係止台の係止部に接触するまで第一方向へと移動する様子を示す模式図である。
【図１８】発明一実施形態の第一作動部材が第二レールの係止台の係止部から離脱する様子を示す模式図である。
【図１９】発明一実施形態の第三レールが第二レールに相対して取り外される様子を示す模式図である。
【図２０】本発明一実施形態のスライドレールアセンブリが第一延伸状態と環境物件との間に第一空間を有する様子を示す模式図である。
【図２１】発明一実施形態のスライドレールアセンブリが第二延伸状態と環境物件との間に、第二空間を有する様子を示す模式図である。
【図２２】発明一実施形態のスライドレールアセンブリが収納状態を示す模式図である。
【図２３】発明一実施形態のスライドレールアセンブリの第三レールが第二レールに相対して第一方向へと移動する様子を示す模式図である。
【図２４】本発明のもう一つの実施形態によるスライドレールアセンブリを示す図である。
【発明を実施するための形態】
【００１７】
（一実施形態）
図１に示す通り、本発明一実施形態の一対のスライドレールアセンブリ２０は、搭載物２２をラック（ｒａｃｋ）２４に取り付けられる。
具体的には、各スライドレールアセンブリ２０は、第一ブラケット２６ａと第二ブラケット２６ｂにより、ラック２４の第一ラック柱２８ａと第二ラック柱２８ｂとに取り付けられる。
この部分は領域において通常の知識を有する者なら理解可能な技術範疇であるため、説明を簡略化するため、説明を省く。
【００１８】
図２に示す通り、スライドレールアセンブリ２０は、第一レール３０、第二レール３２及び第三レール３４を備える。
第一レール３０は、第一ブラケット２６ａと第二ブラケット２６ｂを配置される。
また、第一レール３０は、前端３６ａ及び後端３６ｂを有する。具体的に、第一レール３０は、上壁３７ａ、下壁３７ｂ、及び上壁３７ａと下壁３７ｂとの間に連接される縦方向壁３９を有する。
また、第一レール３０は、上壁３７ａ、下壁３７ｂ及び縦方向壁３９によって第一通路３１を形成する。
好ましくは、第一レール３０は、少なくとも１個の接触部４０を有し、接触部４０は例えば後端３６ｂに隣接する２個の突出物などである。
本実施形態において、スライドレールアセンブリ２０は、第一ブロック部材４２と第二ブロック部材４４をさらに備える。
第一ブロック部材４２は、第一レール３０の後端３６ｂに隣接して配置される。
第二ブロック部材４４は、第一レール３０の後端３６ｂから離れて配置される。
第二レール３２は、第一レール３０の第一通路３１に移動可能に取り付けられる。例えば、第二レール３２は、第一レール３０相対して一部分が第一通路３１の外まで延伸される、或いは第一通路３１の中に収納される。
第二レール３２は、前端４６ａ及び後端４６ｂを有する。具体的に、第二レール３２は、上壁４７ａ、下壁４７ｂ、及び上壁４７ａと下壁４７ｂとの間に連接される縦方向壁４９を有する。また、第二レール３２は、上壁４７ａ、下壁４７ｂ及び縦方向壁４９によって第二通路３３を形成する。
第二レール３２は、前端４６ａと後端４６ｂとの間に位置するパーティション５１を備える。ここでは、パーティション５１は縦方向壁４９に位置し、縦方向壁４９から突出することを例とする。
好ましくは、スライドレールアセンブリ２０は、第一嵌着メカニズム５０、第二嵌着メカニズム５２、第三嵌着メカニズム５４及び係止台５６をさらに備える。
第一嵌着メカニズム５０、第二嵌着メカニズム５２及び第三嵌着メカニズム５４はどれも第二レール３２に取り付けられ、しかも異なる位置に位置する。
例えば、第二嵌着メカニズム５２の位置は、第一嵌着メカニズム５０と第三嵌着メカニズム５４との間で、第一嵌着メカニズム５０は第二レール３２の後端４６ｂに隣接する。
第一嵌着メカニズム５０は、第一嵌着部材５８、及び第一嵌着部材５８に弾力を作用する第一弾性部材６０を備える。
第二嵌着メカニズム５２は、第二嵌着部材６２、及び第二嵌着部材６２に弾力を作用する第二弾性部材６４を備える。
第三嵌着メカニズム５４は、第三嵌着部材６６、及び第三嵌着部材６６に弾力を作用する第三弾性部材６８を備える。
好ましくは、第一嵌着メカニズム５０、第二嵌着メカニズム５２、第三嵌着メカニズム５４は、第一嵌着部材５８、第二嵌着部材６２、第三嵌着部材６６をそれぞれ第二レール３２に枢接する第一枢接部材７０、第二枢接部材７２、及び第三枢接部材７４をさらに備える。
一方、係止台５６（この部分はさらに図３を参照されたい）は、第二レール３２に配置され、例えば第二レール３２の前端４６ａに隣接して配置され、係止台５６は係止部７６を備える。
好ましくは、スライドレールアセンブリ２０は、第一スライドアシスト装置７７、サポーティング構造７９、第二スライドアシスト裝置８１をさらに備える。
第一スライドアシスト装置７７（略称はスライドアシスト装置）は、第二レール３２のパーティション５１と第二レール３２の前端４６ａの係止台５６の間に移動可能に取り付けられる。しかも、第一スライドアシスト装置７７は第二レール３２の第二通路３３の中。
サポーティング構造７９は、第二レール３２のパーティション５１と第二レール３２の後端４６ｂとの間に移動可能に取り付けられる。しかも、サポーティング構造７９は第二レール３２の第二通路３３の中。一方、第二スライドアシスト装置８１は、第一レール３０の第一通路３１の中に収容される。
第三レール３４は、第二レール３２の第二通路３３に取り付けられ、搭載物２２（図示なし）を搭載される。この部分は領域において通常の知識を有する者なら理解可能な技術範疇であるため、説明を簡略化するため、説明を省く。
【００１９】
図４と図５に示す通り、第三レール３４は、前端７８ａと後端７８ｂを有する。
第三レール３４は、上壁８０ａ、下壁８０ｂ、及び上壁８０ａと下壁８０ｂとの間に連接される縦方向壁８２（図４と図５に示す第三レール３４は反対であるため、同図が示す上壁８０ａと下壁８０ｂなどの部品もすべて反対である）を有する。
第三レール３４は、後ブロック８４と前ブロック８６を備える。
後ブロック８４は、第三レール３４の後端７８ｂに隣接して位置する。
前ブロック８６は、第三レール３４の前端７８ａに隣接して位置する。
本実施形態において、後ブロック８４及び前ブロック８６は、それぞれ突出物を例とする。
好ましくは、第一作動部材８８、及び第三レール３４の縦方向壁８２に取り付けられる第二作動部材９０をさらに備える。
本実施形態において、第四枢接部材９２及び第五枢接部材９４さらに備え、別々に第一作動部材８８と第二作動部材９０とを第三レール３４の縦方向壁８２に枢接する。
本実施形態において、弾性台９６、第一操作部材９８、第二操作部材１００、第一補助弾性部材１０２及び第二補助弾性部材１０４をさらに備える。
弾性台９６は、第三レール３４の縦方向壁８２に連接され、第一作動部材８８の少なくとも一部分と第二作動部材９０の少なくとも一部分とを弾性的にサポートする。
第一操作部材９８と第二操作部材１００とは、第一作動部材８８と第二作動部材９０とをそれぞれ操作する。
第一補助弾性部材１０２と第二補助弾性部材１０４とは、第一操作部材９８と第二操作部材１００とにそれぞれ弾力を作用する。
好ましくは、第三レール３４に取り付けられるスイッチ部材１０６をさらに備える。
スイッチ部材１０６と前ブロック８６とは、相互に縦方向距離を隔てる。
具体的には、スイッチ部材１０６は、移動可能に連接され、例えば、第六枢接部材１０８により第三レール３４の縦方向壁８２に取り付けられる。
好ましくは、第三レール３４は、サポート特徴１１０をさらに備える。
スイッチ部材１０６は、２個のスイッチ特徴１１２を備える。
スイッチ部材１０６が異なる位置にあるときには、各スイッチ特徴１１２は、サポート特徴１１０により対応してサポートされる。
サポート特徴１１０と２個のスイッチ特徴１１２とは、凹と凸、凸と凹、或いは凸と凸の対応構造とすることができる。
【００２０】
図６に示す通り、第一嵌着部材５８、第二嵌着部材６２及び第三嵌着部材６６は、第一延伸部１１３、第二延伸部１１５、及び第二レール３２から伸び出し、第一レール３０に対応する第三延伸部１１７をそれぞれ備える。
第二ブロック部材４４は、嵌着解除部１１４、及び嵌着解除部１１４から延伸し、しかも一角度の屈折を呈する位置制限部１１６を備える。
嵌着解除部１１４は、斜面或いは曲面である。
スライドレールアセンブリ２０が収納状態にあるとき、第二レール３２は第一レール３０に相対して収納され、第二レール３２の後端４６ｂは、第一レール３０の少なくとも１個の接触部４０に接触し、第一位置Ｐ１に位置する。
このとき、第三レール３４が第二レール３２に相対して収納され、第三レール３４の前ブロック８６は、第二レール３２の係止台５６の係止部７６に接触する（この部分は図７を参照されたい）。
第一嵌着部材５８の２個の相対部位は、第一弾性部材６０と第三レール３４（例えば第三レール３４の下壁８０ｂ）とにより、それぞれサポートされ、所定状態を保持する。
一方、第二嵌着部材６２と第三嵌着部材６６とは、第二弾性部材６４と第三弾性部材６８によりそれぞれ弾力を提供され、所定状態を保持する。
第二嵌着部材６２が所定状態にあると、第二嵌着部材６２の位置は、第三レール３４の後ブロック８４に対応する。
本実施形態において、後ブロック８４と第二嵌着部材６２との間には、一距離を有する。また第二嵌着部材６２の第二延伸部１１５の位置は第一距離で第二ブロック部材４４の嵌着解除部１１４に対応する。
一方、第三嵌着部材６６が所定状態にあると、第三嵌着部材６６の第三延伸部１１７の位置は第二距離で第二ブロック部材４４の嵌着解除部１１４に対応する。
【００２１】
図８に示す通り、第三レール３４が第二レール３２に相対して第一方向Ｄ１へと移動すると、第三レール３４は、後ブロック８４により、第二嵌着部材６２を押し、第二レール３２を同期して連動し、第一位置Ｐ１より第一方向Ｄ１へと移動させる。
しかも、一位置へと移動すると、第三嵌着部材６６の第三延伸部１１７は、第二ブロック部材４４の嵌着解除部１１４により案内され、第二ブロック部材４４上に接触する。
これにより、第三弾性部材６８は弾力を蓄え、第二嵌着部材６２の第二延伸部１１５は、第二ブロック部材４４の嵌着解除部１１４に接触する。
【００２２】
図９に示す通り、第三レール３４がさらに第一方向Ｄ１に向かい予定位置まで移動すると、第二ブロック部材４４の嵌着解除部１１４により、第二嵌着部材６２を案内して一角度の偏りを呈する。
これにより、第二嵌着部材６２は、第三レール３４の後ブロック８４から離脱され、第二レール３２と第三レール３４の同期移動関係を解除され、第二レール３２は第一レール３０に相対して、第二位置Ｐ２にすでに達している。
一方、第二ブロック部材４４を過ぎた後は、第三嵌着部材６６は、第三弾性部材６８の弾力に反応され、一角度の偏りを呈し、第二ブロック部材４４に隣り合う位置制限部１１６に位置するため、第二レール３２は一時的に第二位置Ｐ２に止まる。
この他、第三レール３４は第二レール３２に相対して第一方向Ｄ１に向かって継続して移動するため、第一嵌着部材５８への第三レール３４（例えば、第三レール３４の下壁８０ｂ）によるサポートは解消される。しかも、第一嵌着部材５８は、第一弾性部材６０の弾力に反応され、一角度の偏りを呈し、第一ブロック部材４２に対応する。
さらに、第三レール３４は第二レール３２に相対して第一方向Ｄ１へと第三位置Ｐ３（例えば、延伸位置）まで移動し、第三レール３４の前端７８ａは、第二レール３２の前端４６ａを超過した状態下で、第一レール３０、第二レール３２及び第三レール３４によって第一長さＬ１を形成する。
つまり、第一レール３０の後端３６ｂと第三レール３４の前端７８ａとの間には、第一長さＬ１が形成される。
【００２３】
図１０に合わせて示す通り、第三レール３４が第三位置Ｐ３に到達すると、第一作動部材８８は第一作動位置Ｘ１において、係止台５６の係止部７６の一方側Ｓ１に接触する。
一方、第三レール３４が第三位置Ｐ３に到達する過程では、第二作動部材９０は、係止台５６の係止部７６に沿って移動され、弾力を生じる。
第二作動部材９０は係止台５６の係止部７６を越えると、弾力を開放するため、第二作動部材９０は、第一作動位置Ｙ１において、係止台５６の係止部７６の他方側Ｓ２に接触する。
すなわち、この状態下では、第三レール３４は、第二レール３２に相対して延伸或いは収納されることはできない。
【００２４】
図１１と図１２に示す通り、操作者が力量Ｆ１を加え、第二操作部材１００を移動させ、第二作動部材９０を操作して、第一作動位置Ｙ１から第二作動位置Ｙ２へと一角度の偏りを呈すると、第二作動部材９０は他方側Ｓ２への接触を解消する。
つまり、この状態下で、第三レール３４は、第二レール３２に相対して第二方向Ｄ２へと収納されることができる。
【００２５】
図１３と図１４に示す通り、操作者はスイッチ部材１０６を第一スイッチ位置Ｗ１から第二スイッチ位置Ｗ２へと操作する。
第一スイッチ位置Ｗ１にあるときには、スイッチ部材１０６と係止台５６の係止部７６とは離れる。
第二スイッチ位置Ｗ２にあるときには、スイッチ部材１０６と係止台５６の係止部７６とは離れていない。
【００２６】
図１４に示す通り、第三レール３４が第二レール３２に相対して延伸位置から第二方向Ｄ２に向かって一位置に移動すると、第三レール３４（例えば、第三レール３４の下壁８０ｂ）は、第三嵌着部材６６を押すため、第三嵌着部材６６が一角度の偏りを呈し、第二ブロック部材４４の位置制限部１１６を離脱する。
【００２７】
図１４と図１５に示す通り、第一ブロック部材４２は、案内部１１８と案内部１１８から延伸し、一角度の屈折を呈する嵌着部１２０を備える。
案内部１１８は、斜面或いは曲面である。
第三レール３４がさらに第二方向Ｄ２に向かい移動すると、第三レール３４は、スイッチ部材１０６の第二スイッチ位置Ｗ２により、係止台５６の係止部７６の他方側Ｓ２を押す（この部分は図１６を参照されたい）。
これにより、第二レール３２は、第三レール３４に従い、第二位置Ｐ２から第二方向Ｄ２へと移動し、第二方向Ｄ２へと移動する過程において、案内部１１８の案内により、第一嵌着部材５８は一角度の偏りを呈し、第一弾性部材６０の弾力に反応され、第一ブロック部材４２の嵌着部１２０に接触するため、第二レール３２は、第四位置Ｐ４（例えば収納位置）を保持する。
この状態下で、第二レール３２は、第一レール３０に相対して第二方向Ｄ２或いは第一方向Ｄ１（第二方向Ｄ２に反対の方向）へと移動することはできない。
言及しておくべきは、スイッチ部材１０６は、第三レール３４の前ブロック８６に置換され、係止台５６の係止部７６の他方側Ｓ２に隣り合うため、第三レール３４が第二レール３２に相対して収納されるとき、第三レール３４の後ブロック８４と第二嵌着部材６２とはある距離を保持し、第三レール３４の移動ときには、同期して第二レール３２を連動することはできない。
【００２８】
図１７に示す通り、第二レール３２が第四位置Ｐ４にある状態下では、第三レール３４は、第二レール３２に相対して、第一作動部材８８が係止台５６の係止部７６の一方側Ｓ１に接触するまで第一方向Ｄ１へと移動する。
この時、第一レール３０の後端３６ｂと第三レール３４の前端７８ａとの間には、第二長さＬ２が形成され、第二長さＬ２は、第一長さＬ１（図９参照）より短い。
すなわち、第二レール３２が第一レール３０に相対して第四位置Ｐ４へと後退されると、第一長さＬ１は、第二長さＬ２へと短縮される。
【００２９】
図１８と図１９に示す通り、第二長さＬ２の状態下で、操作者が力量Ｆ２を加えて第一操作部材９８を移動させ、第一作動部材８８を操作し、第一作動位置Ｘ１から第二作動位置Ｘ２へと移動させると、第一作動部材８８は、係止台５６の係止部７６の一方側Ｓ１から離脱するため、第三レール３４は、第二レール３２に相対して取り外される。
【００３０】
図２０に示す通り、限られた空間環境下で、スライドレールアセンブリ２０が延伸状態を呈すると、スライドレールアセンブリ２０と環境物件１２２（例えばドア或いは壁）との間には、第一空間ｄ１を有する。
しかし、第一空間ｄ１は、操作者がスライドレールアセンブリ２０のメンテナンスを行い、例えば第三レール３４を取り外すには、かなり狭い。
【００３１】
図２１に示す通り、操作者は上述の操作方式を利用し、第二レール３２を第一レール３０に相対して収納させ、一時的に第一レール３０に嵌着させるため、スライドレールアセンブリ２０の全体的な長さは短縮される。
この状態下で、スライドレールアセンブリ２０と環境物件１２２との間には、第二空間ｄ２を有する。
第二空間ｄ２は、第一空間ｄ１より大きいため、その十分な空間を操作者は運用でき、スライドレールアセンブリ２０のメンテナンス作業、或いは第三レール３４を第二レール３２から取り外すのに便利である。
【００３２】
図２２に示す通り、スライドレールアセンブリ２０が収納状態にあると、第二レール３２（略称はレール）は第一レール３０に相対して収納され、第二レール３２の後端４６ｂは、第一レール３０の少なくとも１個の接触部４０に接触し、第一位置Ｐ１に位置する。
一方、第三レール３４（略称はもう一方レール）が第二レール３２に相対して収納される。好ましくは、第三レール３４は第一レール３０に相対して収納されると、サポーティング構造７９は第三レール３４（例えば、第三レール３４の後のレールセクション）を支える。
サポーティング構造７９は、上部８３ａ及び下部８３ｂを備える。好ましくは、上部８３ａと下部８３ｂは少なくとも一つ転動部材８５（ボール或いはローラー）を配置させる。例えば、複数の転動部材８５より第三レール３４の上壁８０ａと下壁８０ｂとを支える。
第一嵌着メカニズム５０、第二嵌着メカニズム５２、及び第三嵌着メカニズム５４は、第二レール３２のパーティション５１と第二レール３２の後端４６ｂの間に位置する。好ましくは、サポーティング構造７９は、第二レール３２に固定的に取り付けられるため、第三レールの後のレールセクションを安定的に支える。具体的には、サポーティング構造７９は、さらに中間部８３ｃより上部８３ａ及び下部８３ｂを延伸して連結し、固定部材８７より第二レール３２に固定的に取り付けられる。例えば、固定部材８７は、図２３に示す通り、リベットである。しかし、これは一つの実施形態であり、実施を限定するものではない。
さらに、第一スライドアシスト装置７７は、第三レール３４の前のレールセクションを支える。第三レール３４が第二レール３２に相対して収納されると、第一スライドアシスト装置７７は第二レール３２のパーティション５１に接触するため、第一スライドアシスト装置７７が第二レール３２の後端４６ｂへと移動することを防ぐ。
一方、第二スライドアシスト装置８１は、第二レール３２を支える。本実施形態において、第一スライドアシスト装置７７及び第二スライドアシスト装置８１は、それぞれ複数のボール（或いはローラー）を備えることを例とする。
【００３３】
図２３に示す通り、第三レール３４が第二レール３２に相対して第一方向Ｄ１へと移動すると、第三レール３４が徐々にサポーティング構造７９に相対して移動し、サポーティング構造７９の上部８３ａと下部８３ｂのボール或いはローラーは、第三レール３４が第二レール３２に相対して移動することに役立つ。
さらに、第一スライドアシスト装置７７のボール或いはローラーは、第三レール３４が第二レール３２に相対して移動することに役立つ。
一方、第二レール３２が第三レール３４に相対して第一方向Ｄ１へと移動すると、第二スライドアシスト装置８１のボール或いはローラーは、第二レール３２が第三レール３４に相対して移動することに役立つ。
【００３４】
図２４は、本発明のもう一つの実施形態によるスライドレールアセンブリ２００を示す。もう一つの実施形態と上記実施形態（図２２参照）との差異はおおよそ以下のとおりである。
サポーティング構造２０２は、上部２０４及び下部２０６を備え、それぞれ第三レール２０８の上壁２１０及び下壁２１２を支えるため、第三レール２０８のレールセクション（例えば後のレールセクション）は、サポーティング構造２０２に支えられる（図２４は、第一嵌着メカニズム５０、第二嵌着メカニズム５２及び第三嵌着メカニズム５４を示さない）。もう一つの実施形態にも中間部２１４より上部２０４及び下部２０６を延伸して連結する。
【００３５】
前述した本発明の実施形態は本発明を限定するものではなく、よって、本発明により保護される範囲は特許請求の範囲を基準とする。
【符号の説明】
【００３６】
２０、２００  スライドレールアセンブリ、
２２          搭載物、
２４          ラック、
２６ａ        第一ブラケット、
２６ｂ        第二ブラケット、
２８ａ        第一ラック柱、
２８ｂ        第二ラック柱、
３０          第一レール、
３１          第一通路、
３２          第二レール、
３３          第二通路、
３４、２０８    第三レール、
３６ａ        前端、
３６ｂ        後端、
４０          接触部、
４２          第一ブロック部材、
４４          第二ブロック部材、
４６ａ        前端、
４６ｂ        後端、
５０          第一嵌着メカニズム、
５１          パーティション、
５２          第二嵌着メカニズム、
５４          第三嵌着メカニズム、
５６          係止台、
５８          第一嵌着部材、
６０          第一弾性部材、
６２          第二嵌着部材、
６４          第二弾性部材、
６６          第三嵌着部材、
６８          第三弾性部材、
７０          第一枢接部材、
７２          第二枢接部材、
７４          第三枢接部材、
７６          係止部、
７７          第一スライドアシスト装置、
７８ａ        前端、
７８ｂ        後端、
７９、２０２          サポーティング構造、
３７ａ、４７ａ、８０ａ、２１０          上壁、
３７ｂ、４７ｂ、８０ｂ、２１２          下壁、
３９、４９、８２          縦方向壁、
８１          第二スライドアシスト装置、
８３ａ、２０４          上部、
８３ｂ、２０６          下部、
８３ｃ、２１４          中間部、
８４          後ブロック、
８５          転動部材、
８６          前ブロック、
８７          固定部材、
８８          第一作動部材、
９０          第二作動部材、
９２          第四枢接部材、
９４          第五枢接部材、
９６          弾性台、
９８          第一操作部材、
１００        第二操作部材、
１０２        第一補助弾性部材、
１０４        第二補助弾性部材、
１０６        スイッチ部材、
１０８        第六枢接部材、
１１０        サポーティング特徴、
１１２        スイッチ特徴、
１１３        第一延伸部、
１１４        嵌着解除部、
１１５        第二延伸部、
１１６        位置制限部、
１１７        第三延伸部、
１１８        案内部、
１２０        嵌着部、
１２２        環境物件、
Ｄ１          第一方向、
Ｄ２          第二方向、
Ｆ１、Ｆ２          力、
Ｌ１          第一長さ、
Ｌ２          第二長さ、
Ｐ１          第一位置、
Ｐ２          第二位置、
Ｐ３          第三位置、
Ｐ４          第四位置、
ｄ１          第一空間、
ｄ２          第二空間、
Ｗ１          第一スイッチ位置、
Ｗ２          第二スイッチ位置、
Ｘ１          第一作動位置、
Ｘ２          第二作動位置、
Ｙ１          第一作動位置、
Ｙ２          第二作動位置、
Ｓ１          係止台５６の係止部７６の一方側、
Ｓ２          係止台５６の係止部７６の他方側。
【図１】
2018042993.tif 000003
【図２】
2018042993.tif 000004
【図３】
2018042993.tif 000005
【図４】
2018042993.tif 000006
【図５】
2018042993.tif 000007
【図６】
2018042993.tif 000008
【図７】
2018042993.tif 000009
【図８】
2018042993.tif 000010
【図９】
2018042993.tif 000011
【図１０】
2018042993.tif 000012
【図１１】
2018042993.tif 000013
【図１２】
2018042993.tif 000014
【図１３】
2018042993.tif 000015
【図１４】
2018042993.tif 000016
【図１５】
2018042993.tif 000017
【図１６】
2018042993.tif 000018
【図１７】
2018042993.tif 000019
【図１８】
2018042993.tif 000020
【図１９】
2018042993.tif 000021
【図２０】
2018042993.tif 000022
【図２１】
2018042993.tif 000023
【図２２】
2018042993.tif 000024
【図２３】
2018042993.tif 000025
【図２４】
2018042993.tif 000026